(57)【要約】【課題】蓋体の開放時にユーザに怪我をさせることを防止する。【解決手段】多角形状をなす有底箱形状の箱本体１０を備え、該箱本体１０の上端開口を蓋体２０によって閉塞する包装箱において、前記蓋体２０は、閉塞状態で前記箱本体１０の周壁（本体側壁１２Ａ〜１２Ｄ）の外面に重畳する少なくとも１つの側壁２２Ａ〜２２Ｄを備え、該側壁の下端に、内向きに湾曲した湾曲縁部２６を設けた構成としている。【選択図】図１
2006182412.tif 000002
【特許請求の範囲】
【請求項１】
平面視多角形状をなす有底箱形状の箱本体を備え、該箱本体の上端開口を蓋体によって閉塞する包装箱において、
前記蓋体は、閉塞状態で前記箱本体の周壁の外面に重畳する少なくとも１つの側壁を備え、該側壁の下端に、内向きに湾曲した湾曲縁部を設けたことを特徴とする包装箱。
【請求項２】
紙を載置するメン板と、所定形状をなすようにカット刃を配設した抜型とを備え、これらメン板と抜型とを相対的に移動させることにより予め設定された所定形状のブランクを打ち抜く紙器打抜装置において、
前記ブランクの所定の縁を切断するカット刃において、少なくともブランク内に位置する内側部に、前記カット刃の先端に向けて窪む湾曲凹部を有する弾性部材を配設するとともに、
前記メン板における前記弾性部材との対向位置に、前記弾性部材の湾曲凹部と所定間隔をもって位置する湾曲部を有する湾曲縁部形成溝を設け、
前記ブランクの打ち抜き時に、組立状態での所定の縁に内向きに湾曲する湾曲縁部を形成可能としたことを特徴とする紙器打抜装置。
【発明の詳細な説明】
【技術分野】
【０００１】
本発明は、包装箱および該包装箱を打ち抜くための紙器打抜装置に関するものである。
【背景技術】
【０００２】
従来よりギフト商品を収容する場合には、上端開口の箱本体と、該箱本体とは別体または一体に設けられた蓋体とからなる包装箱が使用されている。箱本体と別体に設けられた蓋体は、箱本体の上端開口を閉塞する天壁の外周縁から、前記箱本体の本体周壁の外面に重畳する蓋周壁が設けられている。また、箱本体と一体に設けられた蓋体は、前記と同様の天壁において、箱本体と連続した壁と対向する縁に、少なくとも箱本体の外面に重畳する側壁が設けられている。
【０００３】
しかしながら、これらの包装箱は、箱本体を開放する場合、箱本体の周壁に重畳した蓋体の下端縁に所定の指を当て、蓋体を箱本体に対して相対的に移動させることにより行う。そして、この開放作業時には、包装箱が紙製である場合、紙の端縁で添えた指を怪我させる可能性がある。
【発明の開示】
【発明が解決しようとする課題】
【０００４】
本発明では、蓋体の開放時にユーザに怪我をさせることを防止することを課題とするものである。
【課題を解決するための手段】
【０００５】
前記課題を解決するため、本発明の包装箱は、平面視多角形状をなす有底箱形状の箱本体を備え、該箱本体の上端開口を蓋体によって閉塞する包装箱において、前記蓋体は、閉塞状態で前記箱本体の周壁の外面に重畳する少なくとも１つの側壁を備え、該側壁の下端に、内向きに湾曲した湾曲縁部を設けた構成としている。
【０００６】
また、この包装箱のブランクを打ち抜くための紙器打抜装置は、紙を載置するメン板と、所定形状をなすようにカット刃を配設した抜型とを備え、これらメン板と抜型とを相対的に移動させることにより予め設定された所定形状のブランクを打ち抜く紙器打抜装置において、前記ブランクの所定の縁を切断するカット刃において、少なくともブランク内に位置する内側部に、前記カット刃の先端に向けて窪む湾曲凹部を有する弾性部材を配設するとともに、前記メン板における前記弾性部材との対向位置に、前記弾性部材の湾曲凹部と所定間隔をもって位置する湾曲部を有する湾曲縁部形成溝を設け、前記ブランクの打ち抜き時に、組立状態での所定の縁に内向きに湾曲する湾曲縁部を形成可能としたものである。
【発明の効果】
【０００７】
本発明の包装箱は、箱本体から蓋体を開放する場合、従来と同様に、箱本体の周壁の外面に重畳した蓋体の側壁の下端縁に所定の指を当て、蓋体を箱本体に対して相対的に移動させることにより開放する。しかし、本発明では、指を添える蓋体の側壁の縁に内向きに湾曲した湾曲縁部を設けているため、紙の縁に指が当たることはなく、怪我させる問題を確実に防止できる。
【０００８】
また、前記湾曲縁部は、メン板と抜型とを備えた紙器打抜装置において、カット刃の少なくとも内側部に配設した湾曲凹部を有する弾性部材と、前記メン板の湾曲部を有する湾曲縁部形成溝を設けることにより、ブランクの打ち抜き時に形成するため、製造工数が増加することはなく、コストアップや生産性の低下に繋がることを防止できる。
【発明を実施するための最良の形態】
【０００９】
以下、本発明の実施の形態を図面に従って説明する。
【００１０】
図１から図３は、本発明の実施形態に係る包装箱を示し、図４は該包装箱を打ち抜くための紙器打抜装置を示す。この包装箱は、図２に示すように、商品を収容する箱本体１０の上端開口を、別体からなる下端開口の蓋体２０により閉塞するもので、ダイカッター方式の紙器打抜装置によって段ボール紙を連続した一枚のブランクとして打ち抜いて成形される。なお、前記段ボール紙は、一対の表紙１と裏紙２との間に波状の中しん３を配設したものである。
【００１１】
前記箱本体１０は、長方形状をなす底壁１１の外周縁に４方を囲繞する本体周壁を構成する本体側壁１２Ａ〜１２Ｄを設けた有底箱形状のものである。これら本体側壁１２Ａ〜１２Ｄは、底壁１１に連続する外側面１３と、該外側面１３に連続して内側に折り返される内側面１４とからなる二重壁構造に形成されている。
【００１２】
本実施形態の蓋体２０のブランクは、図３に示すように、組立状態の箱本体１０の外法と略同一の長方形状をなす天壁２１を備えている。この天壁２１には、上下端縁および左右端縁に、前記本体側壁１２Ａ〜１２Ｄの外側面１３に重畳する蓋側壁２２Ａ〜２２Ｄが連設されている。そして、これら天壁２１と蓋側壁２２Ａ〜２２Ｄの境界部分には、肉厚を圧縮するように罫を入れて形成した折曲線２３が設けられている。
【００１３】
前記蓋側壁２２Ａ〜２２Ｄは、その全高が箱本体１０の本体側壁１２Ａ〜１２Ｄの全高より若干小さくなるように形成されている。また、これら蓋側壁２２Ａ〜２２Ｄのうち、上下の蓋側壁２２Ａ，２２Ｃの両側縁には、隣接する蓋側壁２２Ｂ，２２Ｄに貼着するための糊代部２４が連設され、その境界部分に前記と同様の折曲線２５が設けられている。また、この糊代部２４を形成していない蓋側壁２２Ｂ，２２Ｄには、組立状態で下端となる先端に、内向きに湾曲した湾曲縁部２６が設けられている。なお、この湾曲縁部２６は、図３において、二点鎖線を記載した部分が湾曲開始位置であり、本実施形態では、この二点鎖線と先端との間が全体にかけて一様に湾曲されるように構成している。
【００１４】
次に、前記蓋体２０のブランクを打ち抜くための紙器打抜装置について説明する。
【００１５】
ダイカッター方式の紙器打抜装置は、図示しない基枠に対して、図４（Ａ）に示すように、固定されたメン板３０と、図示しない駆動手段により上下に移動可能とした抜型３４とを配設したものである。
【００１６】
前記メン板３０は、連続した段ボール紙を位置決めして載置する金属製のものである。このメン板３０には、後述する弾性部材３８Ａ，３８Ｂと対応する位置、即ち、前記蓋体２０の蓋側壁２２Ｂ，２２Ｄの先端と対応する位置に、硬質のウレタン材からなる一対のメンボリ板３１Ａ，３１Ｂが配設され、これらの間に湾曲縁部形成溝３２を形成している。この湾曲縁部形成溝３２の開口端を構成する前記メンボリ板３１Ａ，３１Ｂの角部には、円弧状に湾曲させた湾曲部３３が形成されている。
【００１７】
前記抜型３４は、木製の木枠３５に、打ち抜く蓋体２０のブランクの外周縁に沿って板状のカット刃３６を配設するとともに、折曲線２３，２５と対応する位置に板状の罫（図示せず）を配設したものである。この抜型３４は、駆動手段に連結された金属製の昇降枠３７に対して装着することにより、前記メン板３０に対して相対的に移動される。本実施形態の抜型３４には、前記蓋体２０の蓋側壁２２Ｂ，２２Ｄを切断するためのカット刃３６において、その内側部および外側部に前記メンボリ板３１より軟質なコルク材からなる弾性部材３８Ａ，３８Ｂが配設されている。これら弾性部材３８Ａ，３８Ｂには、前記湾曲部３３と所定間隔をもって位置し、カット刃３６の先端に向けて窪む湾曲凹部３９が形成されている。ここで、該抜型３４が下降したブランクの切断状態において、前記湾曲部３３と湾曲凹部３９との隙間は、段ボール紙の肉厚、即ち、表紙１と裏紙２の間隔より小さくなるように構成している。
【００１８】
この紙器打抜装置では、昇降枠３７を介して抜型３４が下降されると、従来と同様に、カット刃３６によって予め設定された図３に示すブランク形状で蓋体２０を打ち抜くとともに、罫によって肉厚を圧縮した折曲線２３，２５を形成する。また、蓋側壁２２Ｂ，２２Ｄの切断部位では、図４（Ｂ）に示すように、その先端縁が弾性部材３８Ａ，３８Ｂの湾曲凹部３９の内面で押圧され、湾曲縁部形成溝３２内に没入するように変形されながら、カット刃３６によって切断される。この際、弾性部材３８Ａ，３８Ｂは弾性的に変形され、また、蓋側壁２２Ｂ，２２Ｄの先端縁は内部の中しん３が潰されて肉厚が圧縮される。そして、抜型３４が上昇されると、弾性部材３８Ａ，３８Ｂは弾性的に復元しながら離間する一方、蓋側壁２２Ｂ，２２Ｄの先端縁は湾曲縁部形成溝３２内に没入した変形状態を維持する。
【００１９】
このように、本実施形態の紙器打抜装置は、段ボール紙を所定のブランクとして打ち抜く際に、そのブランクの所定位置に湾曲縁部２６を同時に形成することができる。そのため、打ち抜き後の組立工程は、湾曲縁部２６を形成しない従来の方法と同一であり、製造工数が増加することはない。その結果、コストアップや生産性の低下に繋がることを防止できる。
【００２０】
具体的には、このようにして打ち抜いた蓋体２０のブランクは、自動的に組み立てる図示しない製箱装置によって、各糊代部２４にホットメルトなどの周知の接着剤が塗布される。また、折曲線２３に沿って各蓋側壁２２Ａ〜２２Ｄが折り曲げられるとともに、折曲線に沿って各糊代部２４が折り曲げられ、これら糊代部２４が隣接する蓋側壁２２Ｂ，２２Ｄの内面に貼着され、図１および図２に示す蓋体２０として製箱される。
【００２１】
また、前記蓋体２０によって箱本体１０の上端開口を閉塞した場合には、図１に示すように、蓋側壁２２Ｂ，２２Ｄの先端は、湾曲縁部２６により箱本体１０の対応する本体側壁１２Ｂ，１２Ｄを臨むように内向きに湾曲する。そのため、この蓋体２０を取り外して箱本体１０を開放する場合には、ユーザは、蓋側壁２２Ｂ，２２Ｄの下端縁である湾曲縁部２６による湾曲した面に指を当て、蓋体２０を箱本体１０に対して相対的に移動させることにより開放する。これにより、ユーザは、段ボール紙の縁に指が当たることはない。その結果、開放時にユーザに怪我をさせる問題を確実に防止できる。
【００２２】
なお、本発明の包装箱は前記実施形態の構成に限定されるものではなく、種々の変更が可能である。
【００２３】
例えば、前記実施形態では、４面の蓋側壁２２Ａ〜２２Ｄのうち２面の蓋側壁２２Ｂ，２２Ｄに湾曲縁部２６を形成したが、全ての蓋側壁２２Ａ〜２２Ｄに設けてもよい。また、図５に示すように、箱本体１０の１つの本体側壁１２Ａに蓋体２０の天壁２１を連続させた一体式の包装箱である場合には、その連続部分と対向する蓋側壁２２Ｂの１面のみに設けてもよい。勿論、包装箱は、平面視矩形状に限られず、平面視三角形以上の多角形状であればよい。即ち、前記湾曲縁部２６は、その包装箱の形状を加味して蓋体２０の少なくとも１つの側壁に設けてあればよい。
【００２４】
また、本発明の紙器打抜装置も前記実施形態の構成に限定されるものではなく、種々の変更が可能である。
【００２５】
例えば、前記実施形態では、メン板３０に一対のメンボリ板３１Ａ，３１Ｂを配設することにより湾曲縁部形成溝３２を設けたが、金属製のメン板３０に対して直接、湾曲縁部形成溝３２を刻設してもよい。また、前記実施形態では、カット刃３６における内外側部の両方に湾曲部３３および湾曲凹部３９を形成したが、これら湾曲部３３および湾曲凹部３９は、ブランクの内側に位置する側（図４中、メンボリ板３１Ａの湾曲部３３および弾性部材３８Ａの湾曲凹部３９）にのみ設けてもよい。
【００２６】
また、前記紙器打抜装置によって打ち抜くブランクは包装箱に限られず、組仕切部材の縁部を切断するカット刃３６に湾曲縁部形成溝３２および前記弾性部材３８Ａを適用してもよく、このようにすれば組付時に怪我をさせることを確実に防止できる。
【００２７】
さらに、前記包装箱は、段ボール紙製に限られずボール紙（単紙）製であってもよく、また、このボール紙であっても前記紙器打抜装置によって湾曲縁部を同様に形成することが可能である。
【図面の簡単な説明】
【００２８】
【図１】本発明の実施形態に係る包装箱の一部を示す断面図である。
【図２】包装箱の分解斜視図である。
【図３】包装箱の蓋体のブランクを示す平面図である。
【図４】（Ａ），（Ｂ）は蓋体を打ち抜く紙器打抜装置の一部を示す概略図である。
【図５】包装箱の変形例を示す斜視図である。
【符号の説明】
【００２９】
１…表紙                                ２…裏紙
３…中しん
１０…箱本体                            １２Ａ〜１２Ｄ…本体側壁
２０…蓋体                              ２２Ａ〜２２Ｄ…蓋側壁
２６…湾曲縁部
３０…メン板                            ３１Ａ，３１Ｂ…メンボリ板
３２…湾曲縁部形成溝                    ３３…湾曲部
３４…抜型                              ３６…カット刃
３８Ａ，３８Ｂ…弾性部材                ３９…湾曲凹部
【図１】
2006182412.tif 000003
【図２】
2006182412.tif 000004
【図３】
2006182412.tif 000005
【図４】
2006182412.tif 000006
【図５】
2006182412.tif 000007